(57)【要約】【課題】一般家庭における室内の除湿もしくは室内に干した洗濯物の乾燥に使用される除湿装置の洗濯物の乾燥方法および乾燥制御装置に関する。【解決手段】ステップ２で室温を入力として取り込んでＫ１とし、ステップ３で衣類の表面温度を入力として取り込んでＫ２とし、ステップ４で衣類の表面温度Ｋ２と室温Ｋ１との差ΔＫを演算する。ステップ５で差ΔＫが負であれば衣類の表面温度Ｋ２が水分の蒸発による気化熱の影響により室温Ｋ１よりも低くなっていると判断して衣類が濡れていることを検知する。また、差ΔＫが零以上であれば衣類の表面から蒸発する水分がほとんど無くなったと判断して、ステップ７からステップ１１で乾燥時間Ｔの積算をする。そして、ステップ１１で設定時間Ｔ１となったらステップ１２で衣類が乾燥したと判断して、ステップ１３で除湿装置の衣類乾燥運転を停止する。【選択図】図６
2009089995.tif 000002
【特許請求の範囲】
【請求項１】
室温を検知する室温センサと物体の表面温度を検知する熱起電力型赤外線センサと前記室温センサが検知した室温と前記熱起電力型赤外線センサの検知した物体の表面温度との差を演算して物体の表面温度が室温よりも低いときには物体が濡れていると判断する制御手段を備えたことを特徴とする除湿装置。
【請求項２】
熱起電力型赤外線センサの温度補正用の温度センサにより室温を検知することを特徴とした請求項１記載の除湿装置。
【請求項３】
熱起電力型赤外線センサの検知範囲が除湿装置の送風範囲内になる位置に前記熱起電力型赤外線センサを設置することを特徴とした請求項１または２に記載の除湿装置。
【請求項４】
室温センサの検知した温度と熱起電力型赤外線センサの検知した物体の表面温度との差が設定範囲内になったときを基点にして一定時間経過した時点を物体の乾燥と判断して停止することを特徴とした請求項１乃至３のいずれかに記載の除湿装置。
【請求項５】
除湿装置から室温よりも高い空気を吹き出して物体に当てることにより物体の表面温度が室温よりも高くなる現象を検知することを特徴とした請求項４に記載の除湿装置。
【請求項６】
複数の素子を内蔵し形成された熱起電力型赤外線センサを用いたことを特徴とする請求項１乃至３のいずれかに記載の除湿装置。
【請求項７】
熱起電力型赤外線センサに内蔵され形成された複数の素子の検知範囲が地面に対して垂直方向に配置されたことを特徴とする請求項６記載の除湿装置。
【請求項８】
熱起電力型赤外線センサに内蔵され形成された複数の素子の検知範囲が地面に対して水平方向に配置されたことを特徴とする請求項６記載の除湿装置。
【請求項９】
熱起電力型赤外線センサに内蔵され形成された複数の素子の検知範囲が除湿装置の送風範囲内と送風範囲外になるような位置に前記熱起電力型赤外線センサを設置することを特徴とした請求項６乃至８のいずれかに記載の除湿装置。
【請求項１０】
室温センサの検知した室温と複数の素子を内蔵し形成された熱起電力型赤外線センサのすべての素子が検知する物体の表面温度との差が一定範囲内になったときを基点にして一定時間経過した時点を物体の乾燥と判断して停止することを特徴とした請求項６乃至９のいずれかに記載の除湿装置。
【請求項１１】
除湿装置から室温よりも高い空気を吹き出して物体に当てることにより熱起電力型赤外線センサに内蔵され形成された複数の素子のすべてが検知する物体の表面温度が室温よりも高くなる現象を検知することを特徴とした請求項１０に記載の除湿装置。
【請求項１２】
除湿装置の送風範囲を垂直方向に制御するルーバーを備え、室温よりも物体の表面温度が低い場所に集中して送風することを特徴とする請求項７または９乃至１１のいずれかに記載の除湿装置。
【請求項１３】
除湿装置の送風範囲を水平方向に制御するルーバーを備え、室温よりも物体の表面温度が低い場所に集中して送風することを特徴とする請求項８または９乃至１１のいずれかに記載の除湿装置。
【発明の詳細な説明】
【技術分野】
【０００１】
本発明は、主に一般家庭における室内の除湿もしくは室内に干した洗濯物の乾燥に使用される除湿装置の洗濯物の乾燥方法および乾燥制御装置に関する。
【背景技術】
【０００２】
近年、生活スタイルの変化に伴い時間を問わず洗濯物を室内で乾かしたいという要望が多くなり、室内で使用することを目的とした除湿装置が普及している。また、寝ている間や会社への出勤中など、家を留守にしている間に洗濯物を乾燥させる使用が多くなってきており、衣類の乾燥度合いを正確に検知して生乾きや乾きムラおよび無駄な乾燥運転をすることなく、衣類乾燥を終了するような省エネルギーの乾燥運転が求められている。
【０００３】
しかしながら、室内の温度と湿度を検知して、検知した温度と湿度の変化から衣類の乾燥度合いを推定する機能を持った除湿装置は開発されているが、衣類に触れることなく衣類の乾燥度合いを直接に検知する機能を持った除湿装置は発明されていない（例えば、特許文献１参照）。
【０００４】
以下、その除湿機について説明する。
【０００５】
一定時間ごとに雰囲気温度と雰囲気湿度を検知して雰囲気空気の全熱量と絶対湿度を算出し、また算出した全熱量から乾燥させたい衣類近傍の絶対湿度を推測して、雰囲気空気の絶対湿度と衣類近傍の絶対湿度の差から衣類の乾燥度合いを推測して衣類乾燥制御をする除湿装置である。
【特許文献１】特開２００７−１８１５８５号公報
【発明の開示】
【発明が解決しようとする課題】
【０００６】
このような従来の方法では、衣類の乾燥度合いを室内空気の温度と湿度の変化から推測するため、乾燥させる衣類の量や種類および部屋の気密性などに影響を受けてしまい、正確に衣類の乾燥を把握することが困難である。そのため、衣類の生乾きや乾燥ムラのある状態で除湿装置の運転が停止することになる。このような衣類の生乾きや乾燥ムラを防止する目的で衣類が乾燥したと推測する時間よりも長く運転する傾向にあるため、無駄なエネルギーを消費してしまう傾向にある。
【０００７】
本発明は、このような従来の課題を解決するものであり、室内の温度と熱起電力型赤外線センサにより非接触で検知した衣類の表面温度との差を演算し、濡れた衣類の表面温度は水分が蒸発する気化熱によって室内の温度よりも低くなっている現象を検知することで、衣類の乾燥状態を正確に判断することが可能となる。このことにより、衣類の生乾きや乾燥ムラをなくして無駄な乾燥運転を行わない省エネルギーな除湿装置を提供することを目的としている。
【課題を解決するための手段】
【０００８】
本発明は上記目的を達成するために、室温を検知する室温センサと物体の表面温度を検知する熱起電力型赤外線センサと前記室温センサが検知した室温と前記熱起電力型赤外線センサの検知した物体の表面温度との差を演算して物体の表面温度が室温よりも低いときには物体が濡れていると判断する制御手段を備えた構成としたものである。
【０００９】
この手段により、濡れた衣類などの物体の表面温度が水分の蒸発する気化熱のために周囲の空気の温度より低くなっている現象を検知することにより、非接触で衣類などの物体が濡れていることを検知することができる除湿装置が得られる。
【００１０】
さらに、熱起電力型赤外線センサの温度補正用の温度センサにより室温を検知することを特徴としたものである。
【００１１】
この手段により、室温を検知するセンサを同じにすることができるため、衣類などの物体の表面温度と室温との差を精度よく検出することができる除湿装置が得られる。
【００１２】
さらに、熱起電力型赤外線センサの検知範囲が除湿装置の送風範囲内になる位置に前記熱起電力型赤外線センサを設置することを特徴としたものである。
【００１３】
この手段により、除湿装置で濡れた衣類などの物体を乾燥させようとする場合、干した衣類などの物体が自然と熱起電力型赤外線センサの検知範囲になるようにすることができる除湿装置が得られる。
【００１４】
さらに、室温センサの検知した温度と熱起電力型赤外線センサの検知した物体の表面温度との差が設定範囲内になったときを基点にして一定時間経過した時点を物体の乾燥と判断して停止することを特徴としたものである。
【００１５】
この手段により、衣類などの物体が乾燥したことを非接触で検知することができ、無駄な運転をしない省エネルギーな除湿機装置が得られる。
【００１６】
さらに、除湿装置から室温よりも高い空気を吹き出して物体に当てることにより物体の表面温度が室温よりも高くなる現象を検知することを特徴としたものである。
【００１７】
この手段により、衣類などの物体が乾燥したことを非接触で精度よく検知することができ、無駄な運転をしない省エネルギーな除湿装置が得られる。
【００１８】
さらに、複数の素子を内蔵し形成された熱起電力型赤外線センサを用いたことを特徴としたものである。
【００１９】
この手段により、衣類などの物体の乾燥ムラを検知することができる除湿装置が得られる。
【００２０】
さらに、熱起電力型赤外線センサに内蔵され形成された複数の素子の検知範囲が地面に対して垂直方向に配置されたことを特徴としたものである。
【００２１】
この手段により、衣類などの物体の乾燥ムラを縦方向に検知するができる除湿装置が得られる。
【００２２】
さらに、熱起電力型赤外線センサに内蔵され形成された複数の素子が地面に対して水平方向に配置されたことを特徴としたものである。
【００２３】
この手段により、衣類などの物体の乾燥ムラを水平方向に検知するができる除湿装置が得られる。
【００２４】
さらに、熱起電力型赤外線センサに内蔵され形成された複数の素子の検知範囲が除湿装置の送風範囲内と送風範囲外になるような位置に前記熱起電力型赤外線センサを設置することを特徴としたものである。
【００２５】
この手段により、濡れた衣類などの物体のある場所とない場所を検知することができる除湿装置が得られる。
【００２６】
さらに、室温センサの検知した室温と複数の素子を内蔵し形成された熱起電力型赤外線センサのすべての素子が検知する物体の表面温度との差が一定範囲内になったときを基点にして一定時間経過した時点を物体の乾燥と判断して停止することを特徴としたものである。
【００２７】
この手段により、衣類などの物体の広い範囲の乾燥を検知することができ、無駄な運転をしない省エネルギーな除湿装置が得られる。
【００２８】
さらに、除湿装置から室温よりも高い空気を吹き出して物体に当てることにより熱起電力型赤外線センサに内蔵され形成された複数の素子のすべてが検知する物体の表面温度が室温よりも高くなる現象を検知することを特徴としたものである。
【００２９】
この手段により、衣類などの物体の乾燥を非接触で精度よく検知することができ、無駄な運転をしない省エネルギーな除湿装置が得られる。
【００３０】
さらに、除湿装置の送風範囲を垂直方向に制御するルーバーを備え、室温よりも物体の表面温度が低い場所に集中して送風することを特徴としたものである。
【００３１】
この手段により、衣類などの物体の濡れた場所に送風を集中させることで衣類などの乾燥速度を早くすることが可能となり省エネルギーな除湿装置が得られる。
【００３２】
さらに、除湿装置の送風範囲を水平方向に制御するルーバーを備え、室温よりも物体の表面温度が低い場所に集中して送風することを特徴としたものである。
【００３３】
この手段により、衣類などの物体の濡れた場所に送風を集中させることで衣類などの乾燥速度を早くすることが可能となり省エネルギーな除湿装置が得られる。
【発明の効果】
【００３４】
本発明によれば、室内の温度と熱起電力型赤外線センサにより非接触で検知した衣類の表面温度との差を演算し、濡れた衣類の表面温度は水分が蒸発する気化熱によって室内の温度よりも低くなる現象を検知して、衣類などの物体が濡れていることや濡れた衣類などがあることを検知することが可能な除湿装置が得られる。
【００３５】
また、室内の温度と熱起電力型赤外線センサにより非接触で検知した衣類の表面温度との差を演算し、濡れた衣類の表面温度は水分が蒸発する気化熱によって室内の温度よりも低くなることを検知し、衣類などの物体が乾いていくと室温と衣類の表面温度との差が無くなり、さらには衣類の表面温度が高くなることを検知することで、生乾きや乾燥ムラなく衣類の乾燥状態を正確に判断することが可能となり、無駄な乾燥運転を行わない省エネルギーな除湿装置が得られる。
【発明を実施するための最良の形態】
【００３６】
本発明の請求項１記載の発明は、室温を検知する室温センサと物体の表面温度を検知する熱起電力型赤外線センサと前記室温センサが検知した室温と前記熱起電力型赤外線センサの検知した物体の表面温度との差を演算して物体の表面温度が室温よりも低いときには物体が濡れていると判断する制御手段を備えた構成とする。この構成により、濡れた衣類などの物体の表面温度が水分の蒸発する気化熱のために周囲の空気の温度より低くなっている現象を検知することにより、非接触で衣類などの物体が濡れていることを検知することができるという作用を有する。
【００３７】
また、熱起電力型赤外線センサの温度補正用の温度センサにより室温を検知することを特徴とし、室温を検知するセンサを同じにすることで衣類などの物体の表面温度と室温との差を精度よく検出することができるという作用を有する。
【００３８】
また、熱起電力型赤外線センサの検知範囲が除湿装置の送風範囲内になる位置に前記熱起電力型赤外線センサを設置することを特徴とし、除湿装置で濡れた衣類などの物体を乾燥させようとする場合、干した衣類などの物体が自然と熱起電力型赤外線センサの検知範囲になるようにすることができるという作用を有する。
【００３９】
また、室温センサの検知した温度と熱起電力型赤外線センサの検知した物体の表面温度との差が設定範囲内になったときを基点にして一定時間経過した時点を物体の乾燥と判断して停止することを特徴とし、衣類などの物体が乾燥したことを非接触で検知して無駄な運転をしない省エネルギーを可能にするという作用を有する。
【００４０】
また、除湿装置から室温よりも高い空気を吹き出して物体に当てることにより物体の表面温度が室温よりも高くなる現象を検知することを特徴とし、衣類などの物体が乾燥したことを非接触で精度よく検知して無駄な運転をしない省エネルギーを可能にするという作用を有する。
【００４１】
また、複数の素子を内蔵し形成された熱起電力型赤外線センサを用いたことを特徴とした構成とし、衣類などの物体の乾燥ムラを検知することができるという作用を有する。
【００４２】
また、熱起電力型赤外線センサに内蔵され形成された複数の素子の検知範囲が地面に対して垂直方向に配置されたことを特徴とした構成とし、衣類などの物体の乾燥ムラを縦方向に検知するができるという作用を有する。
【００４３】
また、熱起電力型赤外線センサに内蔵され形成された複数の素子が地面に対して水平方向に配置されたことを特徴とした構成とし、衣類などの物体の乾燥ムラを水平方向に検知するができるという作用を有する。
【００４４】
また、熱起電力型赤外線センサに内蔵され形成された複数の素子の検知範囲が除湿装置の送風範囲内と送風範囲外になるような位置に前記熱起電力型赤外線センサを設置することを特徴とした構成とし、濡れた衣類などの物体のある場所とない場所を検知することができるという作用を有する。
【００４５】
また、室温センサの検知した室温と複数の素子を内蔵し形成された熱起電力型赤外線センサのすべての素子が検知する物体の表面温度との差が一定範囲内になったときを基点にして一定時間経過した時点を物体の乾燥と判断して停止することを特徴とし、衣類などの物体の広い範囲の乾燥を検知して無駄な運転をしない省エネルギーを可能にするという作用を有する。
【００４６】
また、除湿装置から室温よりも高い空気を吹き出して物体に当てることにより熱起電力型赤外線センサに内蔵され形成された複数の素子のすべてが検知する物体の表面温度が室温よりも高くなる現象を検知することを特徴とし、衣類などの物体の乾燥を非接触で精度よく検知して無駄な運転をしない省エネルギーを可能にするという作用を有する。
【００４７】
また、除湿装置の送風範囲を垂直方向に制御するルーバーを備え、室温よりも物体の表面温度が低い場所に集中して送風することを特徴とした構成とし、衣類などの物体の濡れた場所に送風を集中させることで衣類などの乾燥速度を早くすることが可能となり省エネルギーを可能にするという作用を有する。
【００４８】
また、除湿装置の送風範囲を水平方向に制御するルーバーを備え、室温よりも物体の表面温度が低い場所に集中して送風することを特徴とした構成とし、衣類などの物体の濡れた場所に送風を集中させることで衣類などの乾燥速度を早くすることが可能となり省エネルギーを可能にするという作用を有する。
【００４９】
以下、本発明の実施の形態について図面を参照しながら説明する。
【００５０】
（実施の形態１）
図１から図４に、本発明の実施の形態１の除湿装置の全体構成を示す。除湿装置を前面側から見た構成を図１に示す。除湿装置は、本体１の天面に除湿装置の操作と運転状態を表示するための操作表示部２と除湿された空気を吹き出すための吹き出し口３と吹き出し口３から吹き出す空気の風向を上下方向に変化させるための風向ルーバー４と除湿した水分を集めるためのタンク５と衣類などの物体の表面温度を検知するための熱起電力型赤外線センサ６を吹き出し口３の下側に備えている。熱起電力型赤外線センサ６の温度を検知する範囲は吹き出し口３から吹き出す空気の送風範囲内になる位置と向きに取り付けられている。また、熱起電力型赤外線センサ６にはサーモパイルと呼ばれるものがあり、内部に温度補償用の温度センサを持つものもある。
【００５１】
除湿装置を背面側から見た構成を図２に示す。除湿装置は、本体１の背面側に室内の空気を本体１の内部に取り込むための吸い込み口７と吸い込み口７に面した本体１の内部に室温を検知するための室温センサ８と室内の湿度を検知するための湿度センサ９を備えている。室温センサ８は、雰囲気温度が検知できればよくサーミスタなどがある。湿度センサ９は、雰囲気湿度が検知できればよく高分子センサなどがある。
【００５２】
除湿装置の内部構成を図３に示す。本体１の内部には吸い込み口７から室内の空気を取り込んで除湿手段１０を通過させて空気を除湿し、この除湿された空気を吹き出し口３から吹き出すように空気を移動させるためのファンなどの送風手段１１と風向ルーバー４を制御するための風向ルーバー制御手段１２と吹き出し口３から吹き出す空気の送風範囲を水平方向に変更するための送風範囲ルーバー１３と送風範囲ルーバー１３を制御するための送風範囲ルーバー制御手段１４と制御手段１５とを備えている。
【００５３】
除湿手段１０には、デシカント方式やコンプレッサ方式などがある。送風手段１１としては、例えば、送風ファンなどがあり、その駆動動力として、ＡＣモーターやＤＣモーターなどがある。風向ルーバー制御手段１２と送風範囲ルーバー制御手段１４には、ステッピングモーターなどがある。制御手段１５にはマイコンがあり、これ以降の制御手段１５の動作は、マイコン内のカウンターやＲＡＭやＲＯＭが共同するマイコンのプログラムの形態で実施される。
【００５４】
図４に操作表示部２の構成を示す。操作表示部２には、除湿装置の運転を開始したり停止したりするための運転切／入スイッチ１６と除湿運転の種類を選択するための除湿スイッチ１７と衣類乾燥の種類を選択するための衣類乾燥スイッチ１８と風向ルーバー４の風向を選択するための風向スイッチ１９と送風範囲ルーバー１３の送風範囲を選択するための送風範囲スイッチ２０と運転時間を設定するための切タイマースイッチ２１と除湿装置の運転状態を表示する運転表示部２２とを備えている。運転表示部２２には、ＬＥＤやブザーなどがある。
【００５５】
上記のように構成した除湿装置において、衣類などの物体が濡れていること検知する制御方法と衣類などの物体が乾燥したことを検知する制御方法について、図５から図８を参照しながら説明する。
【００５６】
図５に示すように、室温センサ８で検知した室温と熱起電力型赤外線センサ６で検知した衣類の表面温度を制御手段１５に読み込む。そして、図６に示すように、ステップ１で電源の投入時や除湿装置の衣類乾燥運転などの運転開始時にプログラムをスタートさせる。次にステップ２で室温センサ８からの室温を入力として取り込んでＫ１とし、ステップ３で熱起電力型赤外線センサ６から衣類の表面温度を入力として取り込んでＫ２とし、ステップ４で衣類の表面温度Ｋ２と室温Ｋ１との差ΔＫを演算する。ステップ５で衣類が濡れていると判断する基準をＫ＝０とした場合、差ΔＫが負であれば衣類の表面温度Ｋ２が水分の蒸発による気化熱の影響により室温Ｋ１よりも低くなっていると判断して衣類が濡れていることを検知することが可能となる。衣類が濡れていると判断される間はステップ２からステップ６を繰り返す。
【００５７】
図６のステップ５において、差ΔＫが零以上であれば衣類の表面から蒸発する水分がほとんど無くなったと判断して、ステップ７に移行して乾燥時間Ｔの積算を開始する。次にステップ８で乾燥時間Ｔを零にリセットし、ステップ９でタイマーを起動してタイムアップしたらステップ１０で乾燥時間Ｔの値を繰り上げ、ステップ１１で設定時間Ｔ１と比較し、設定時間Ｔ１になるまでステップ９からステップ１１を繰り返す。ステップ９のタイマーを１分タイマーとし設定時間Ｔ１を２０とすれば、乾燥時間Ｔを２０分とすることができる。そして、ステップ１１で設定時間Ｔ１となったらステップ１２で衣類が乾燥したと判断してステップ１３に進んで除湿装置の衣類乾燥運転を停止する。
【００５８】
図７と図８に衣類を乾燥しているときの室温Ｋ１と衣類の表面温度Ｋ２と判断基準Ｋと設定時間Ｔ１の関係を示す。図７は除湿装置から室温と同じ温度の送風を衣類に当てたときの温度の推移であり、図８に示すように、除湿装置の吹き出し口３から吹き出す室温よりも暖かい除湿された空気が衣類にあたると乾いた衣類の表面温度は室温よりも高くなるため、ステップ７以降の室温Ｋ１と衣類の表面温度Ｋ２との温度差ΔＫ３＝Ｋ２−Ｋ１は、室温よりもはっきりと高くなる。ΔＫ３を判断基準Ｋ１の設定値に反映すれば、室温よりも衣類の表面温度がはっきりと高くなった点を検知できるので、衣類の水分がほぼ蒸発した点を精度良く検知することができ衣類の乾燥検知の精度を向上させることが可能となる。
【００５９】
このように衣類などの物体の表面温度を検知して室温と比較することで、非接触で衣類などの物体が濡れていることと乾燥したことを検出し、無駄な乾燥運転を行わない省エネルギーな除湿装置が得られる。
【００６０】
ここでは、ステップ４で衣類表面温度Ｋ２と室温Ｋ１との差ΔＫから衣類表面の気化熱の低下を検知しているが、濡れた衣類の表面温度が水分の蒸発による気化熱により室温よりも低くなっていることを演算して検知するのであれば、その演算方法には限定されず、その作用効果に差異は生じない。
【００６１】
また、ステップ５で衣類が濡れているかどうかの判断の条件を負としたが、衣類表面の気化熱による温度低下ΔＫは０．５℃から４℃程度であり、さらに図８に示す温度差ΔＫ３は１℃から３℃程度ある。これらの特性を反映させて判断基準に用いるのであれば、判断基準や判断方法には限定されず、その作用効果に差異は生じない。
【００６２】
また、ステップ７からステップ１１で１分の積算タイマーを用いて説明したが、衣類などの物体からの水分がある程度蒸発したと判断したときを基点として、乾燥時間Ｔを設定するのであれば、その制御方法には限定されず、その作用効果に差異は生じない。
【００６３】
また、ここでは、室温を検知するセンサとして室温センサ８を用いたが、熱起電力型赤外線センサ６に内蔵されている温度保証用の温度センサから室温を検知して利用すれば、同じセンサによる室温の測定となるため、衣類の表面温度Ｋ２と室温Ｋ１との差を精度良く検知することができ、衣類が濡れていることを精度良く判断することができ、衣類を確実に省エネルギーで乾燥させることができる。
【００６４】
（実施の形態２）
実施の形態１と同一部分は同一符号を付し、詳細な説明は省略する。図９に示すように、本発明の実施の形態２の除湿装置は、熱起電力型赤外線センサ６に複数の素子を内蔵し成型されたセンサを用いて、検知範囲を地面に対して水平方向になるように配置した構成である。また、熱起電力型赤外線センサ６は、検知範囲６ａから検知範囲６ｈまで８個の検知範囲を持った構成となっている。
【００６５】
上記の構成により、すべての検知範囲６ａから検知範囲６ｈにて衣類が濡れていることを判断し、さらに衣類が乾燥したことを判断して検知すれば、干した衣類の水平方向の広い範囲の乾燥を検知することが可能となる。
【００６６】
また、図には示していないが、検知範囲６ａと検知範囲６ｈを吹き出し口３から吹き出される除湿された空気を送風範囲ルーバー１３で制御できる送風範囲外になるように配置すれば、濡れた衣類を干したときの位置が送風範囲から外れていることを検知することが可能となり、操作表示部２のＬＥＤ表示などで使用者に知らせることが可能となる。
【００６７】
また、衣類が濡れていることを検知している検知範囲６ａから検知範囲６ｈの検知範囲のパターンと送風範囲ルーバー１３の風向範囲を対応させておいて自動的に選択することで、自動的に濡れた場所に集中的に除湿された空気を当てることが可能となり、衣類を早く乾燥させることができる省エネルギーな除湿装置が得られる。
【００６８】
（実施の形態３）
実施の形態１と実施の形態２と同一部分は同一符号を付し、詳細な説明は省略する。図１０に示すように、本発明の実施の形態３の除湿装置は、熱起電力型赤外線センサ６に複数の素子を内蔵し成型されたセンサを用いて、検知範囲を地面に対して垂直方向になるように配置した構成である。また、熱起電力型赤外線センサ６は、検知範囲６ａから検知範囲６ｈまで８個の検知範囲を持った構成となっている。
【００６９】
上記の構成により、すべての検知範囲６ａから検知範囲６ｈにて衣類が濡れていることを判断し、さらに衣類が乾燥したことを判断して検知すれば、干した衣類の垂直方向の広い範囲の乾燥を検知することが可能となる。
【００７０】
また、図には示していないが、検知範囲６ａと検知範囲６ｈを吹き出し口３から吹き出される除湿された空気を風向ルーバー４で制御できる風向範囲外になるように配置すれば、濡れた衣類を干したときの位置が風向範囲から外れていることを検知することが可能となり、操作表示部２のＬＥＤ表示などで使用者に知らせることが可能となる。
【００７１】
また、衣類が濡れていることを検知している検知範囲６ａから検知範囲６ｈの検知範囲のパターンと風向ルーバー４の風向範囲を対応させておいて自動的に選択することで、自動的に濡れた場所に集中的に除湿された空気を当てることが可能となり、衣類を早く乾燥させることができる省エネルギーな除湿装置が得られる。
【産業上の利用可能性】
【００７２】
本発明の除湿装置の制御は、一般家電用の衣類などの乾燥制御などにも適用できる。
【図面の簡単な説明】
【００７３】
【図１】本発明の実施の形態１の除湿装置の斜視前面図
【図２】同除湿装置の斜視背面図
【図３】同除湿装置の断面図
【図４】同除湿装置の操作表示部の図
【図５】同除湿装置の構成を示すブロック図
【図６】同除湿装置の衣類乾燥検知プログラムのフローチャート
【図７】同除湿装置のセンサで検知する温度変化１の図
【図８】同除湿装置のセンサで検知する温度変化２の図
【図９】本発明の実施の形態２の除湿装置の上面視図
【図１０】本発明の実施の形態３の除湿装置の側面視図
【符号の説明】
【００７４】
１    本体
２    操作表示部
３    吹き出し口
４    風向ルーバー
５    タンク
６    熱起電力型赤外線センサ
６ａ  検知範囲
６ｂ  検知範囲
６ｃ  検知範囲
６ｄ  検知範囲
６ｅ  検知範囲
６ｆ  検知範囲
６ｇ  検知範囲
６ｈ  検知範囲
７    吸い込み口
８    室温センサ
９    湿度センサ
１０  除湿手段
１１  送風手段
１２  風向ルーバー制御手段
１３  送風範囲ルーバー
１４  送風範囲ルーバー制御手段
１５  制御手段
１６  運転切／入スイッチ
１７  除湿スイッチ
１８  衣類乾燥スイッチ
１９  風向スイッチ
２０  送風範囲スイッチ
２１  切タイマースイッチ
２２  運転表示部
２３  衣類
【図１】
2009089995.tif 000003
【図２】
2009089995.tif 000004
【図３】
2009089995.tif 000005
【図４】
2009089995.tif 000006
【図５】
2009089995.tif 000007
【図６】
2009089995.tif 000008
【図７】
2009089995.tif 000009
【図８】
2009089995.tif 000010
【図９】
2009089995.tif 000011
【図１０】
2009089995.tif 000012